(57)【特許請求の範囲】
【請求項１】
放射性廃棄物通路を開閉するダンパーの回転軸を、隣接するシールド室に貫通させて、その端部に回転用アームを設けるとともに、シールド室の外側に蛇腹でシールされたシリンダロッドを回転軸に対して垂直方向に設けてそのシリンダロッドをシールド室の内部に貫通させ、回転用アームの先端部に設けた長孔にシリンダロッドの先端を係合させたことを特徴とする放射性廃棄物通路のダンパー開閉装置。
【請求項２】
シールド室の内部側面に、シリンダロッドの先端が直線往復運動するようにガイドするレールを設けたことを特徴とする請求項１に記載の放射性廃棄物通路のダンパー開閉装置。
【発明の詳細な説明】
【技術分野】
【０００１】
本発明は、放射性廃棄物通路に設けられたダンパーを開閉するための、放射性廃棄物通路のダンパー開閉装置に関するものである。
【背景技術】
【０００２】
焼却炉などにおける放射性廃棄物通路には、放射性廃棄物を次工程に送出するためのダンパーが配設されている。このようなダンパーとして特許文献１に開示されたスライド式のものが知られている。このダンパーは、ダンパーの表面にアタッチメントによってチェーンの両端を固定し、このチェーンを駆動用のスプロケットと組み合わせたものであって、このダンパーをスライドさせることによって、放射性廃棄物通路を開閉することができる。しかしながら、上記したダンパーは、ダンパーとそのガイド部材との隙間やチェーンなどに放射性廃棄物が詰まったりして円滑に作動せず、故障が発生しやすいという問題があった。
【０００３】
そこで発明者らは、ダンパーの開閉装置を図６に示すような水平な回転軸４によってダンパー３が上下方向に回動されるものとした。このダンパーの開閉装置は、放射性廃棄物通路１を開閉するダンパー３の回転軸４を、隣接するシールド室１０に貫通させて、その端部に回転用アーム６を設けるとともに、シールド室１０の外側に蛇腹１４でシールされたシリンダロッド７を回転軸４に対して垂直方向に設けてそのシリンダロッド７をシールド室１０の内部に貫通させたうえに、シリンダロッド７の先端を回転用アーム６の先端にピン２５により軸着したものである。すなわち、シリンダロッド７の往復運動により回転用アーム６が回動されるので、回転軸４を介してダンパー３を上下方向に回動することができる。ダンパーの開閉装置をこのような回動式のものとすることによって、上記したような放射性廃棄物の詰まりによる故障を回避することができる。
【０００４】
しかしながら、図６に示すダンパーの開閉装置においては、図示するように、回転用アーム６の回動によりシリンダロッド７の先端が下方にたわまされることになる。このシリンダロッド７のたわみによって蛇腹１４には横方向の繰り返し応力が作用する。しかし、蛇腹１４は伸縮する方向には十分な耐久性を有するが、伸縮する方向と直交する横方向の応力には弱いので、横方向の繰り返し応力の付加によって蛇腹１４が早期に損傷してしまう。また蛇腹１４が取付けられた側壁１２の固定部１５に負荷が集中してこの部分が損傷を受けやすいという問題があった。
【特許文献１】特開平４−７３５０８号公報  (第１図)
【発明の開示】
【発明が解決しようとする課題】
【０００５】
本発明は上記した従来の問題点を解決して、蛇腹の耐久性に優れた放射性廃棄物通路のダンパー開閉装置を提供することを課題とする。
【課題を解決するための手段】
【０００６】
上記の課題を解決するためになされた本発明の放射性廃棄物通路のダンパー開閉装置は、放射性廃棄物通路を開閉するダンパーの回転軸を、隣接するシールド室に貫通させて、その端部に回転用アームを設けるとともに、シールド室の外側に蛇腹でシールされたシリンダロッドを回転軸に対して垂直方向に設けてそのシリンダロッドをシールド室の内部に貫通させ、回転用アームの先端部に設けた長孔にシリンダロッドの先端を係合させたことを特徴とするものである。なお、シールド室の内部側面に、シリンダロッドの先端が直線往復運動するようにガイドするレールを設けることができる。
【発明の効果】
【０００７】
本発明の放射性廃棄物通路のダンパー開閉装置は、蛇腹でシールされたシリンダロッドの先端を回転用アームに設けた長孔に係合させて、シリンダロッドが往復運動する時にシリンダロッドの先端が長孔内を摺動するようにしたので、回転用アームによってシリンダロッドの先端が下方に撓まされることがない。従って、横からの応力に弱い蛇腹に横方向の繰り返し応力が作用することがないので、蛇腹の寿命を延長してダンパー開閉装置を故障が少ないものとすることができる。さらに、シリンダロッドがレール上をスライドするようにしたので、長孔内摺動時の摩擦抵抗に影響されることなくシリンダロッドのたわみを確実に防止することができる。
【発明を実施するための最良の形態】
【０００８】
以下に図面を参照しつつ本発明の好ましい実施形態を説明する。
図１〜５は、本発明に係る放射性廃棄物通路のダンパー開閉装置を示す図であって、１は焼却灰などが落下する放射性廃棄物通路、９は下方の焼却灰貯蔵容器４０に焼却灰を供給するための焼却灰回収室、１０は焼却灰回収室９に隣接して設けられたシールド室である。
【０００９】
図において、放射性廃棄物通路１と焼却灰回収室９とは開口部２によって連通している。この開口部２にはダンパー３が当接されていて、落下してきた焼却灰をこのダンパー３によって受け止める。
【００１０】
ダンパー３はダンパーアーム５を介して回転軸４の中程に軸着されている。そして、回転軸４の両端は、焼却灰回収室９の側壁１１に設けた軸シール部４１を介してベアリング１６に回転可能に支持されており、一方の端部１７は支持部材３１に支持されてシールド室１０内に突出している。その端部１７には回転軸４から放射方向に延出する回転用アーム６が装着されているが、この回転用アーム６の先端部には、回転軸４の方向に伸びる長孔２４が形成されている。回転軸４の他方の端部２１は別途設けられたシールド室２２に突出し支持部材３１ａに支持されており、その端部２１にはダンパー３の閉鎖を容易に行うためのウエイト２３が設けられている。
【００１１】
そして、シールド室１０の外部からは、回転軸４に対して垂直方向に直線往復運動するシリンダロッド７が側壁１２に設けた貫通孔１３を通って内部に水平に差し込まれている。シリンダロッド７の後端は駆動装置３０に接続されており、シリンダロッド７の先端にはスライドプレート８ａが装着されている。スライドプレート８ａの先端は二股状に分かれて、この部分と長孔２４にピン２５が挿通されているので、スライドプレート８ａの先端は、回転用アーム６を挟んで長孔２４の伸びる方向に摺動することができる。
【００１２】
なお、図２に示すように支持部材３１の側面には、シリンダロッド７と平行にレール３２が敷設され、スライドプレート８ａには摺動部３３が設けられていて、この摺動部３３はレール３２上をスライド可能にレール３２に係合されている。従って、スライドプレート８ａはレール３２上を左右に直線往復運動することができる。
【００１３】
以上のようにして構成されたダンパー開閉装置において、焼却灰を排出するときは、駆動装置３０によりシリンダロッド７を前進させる。これによって、スライドプレート８ａもともに前進されて回転用アーム６が回動されるが、図４に示すように、当該アーム６の回動とともにピン２５が長孔２４内を摺動するので、スライドプレート８ａは直線的に往復運動することができる。そして、このスライドプレート８ａはレール３２上を摺動するので、ピン２５と長孔２４との摩擦抵抗の大小にかかわらず常にスライドプレート８ａは直線運動することができ、従って、シリンダロッド７にたわみが発生することがない。
【００１４】
なお、本発明のダンパー開閉装置は上記実施形態にとらわれることなく、放射性廃棄物焼却炉の廃棄物投入部などに設けることもできる。
【００１５】
以上説明したように、本発明のダンパー開閉装置は、ダンパーを開閉するときに回転用アームの先端部に設けた長孔内を、シリンダロッドの先端が摺動するようにしたので、シリンダロッドにたわみが発生するのを防止することができる。従って、蛇腹に横方向の繰り返し応力が作用するのを防止して、その寿命を延長することができるという大きな利点を有する。
【図面の簡単な説明】
【００１６】
【図１】本発明に係るダンパー開閉装置の正面図である。
【図２】図１に示すダンパー開閉装置の平面図である。
【図３】図１に示すダンパー開閉装置の側面図である。
【図４】本発明に係るダンパー開閉装置の要部拡大図である。
【図５】ダンパーの開閉状態を示す説明図である。
【図６】回転用アームによってシリンダロッドの先端がたわむ状態を説明するダンパー開閉装置の正面図である。
【符号の説明】
【００１７】
１  放射性廃棄物通路、２  開口部、３  ダンパー、４  回転軸、５  ダンパーアーム、６  回転用アーム、７  シリンダロッド、８  軸着用部材、８ａ  スライドプレート、９  焼却灰回収室、１０  シールド室、１１  焼却灰回収室の側壁、１２  シールド室の側壁、１３  貫通孔、１４  蛇腹、１５  蛇腹の固定部、１６  ベアリング、１７  回転軸の一方の端部、２１  回転軸の他方の端部、２２  シールド室、２３  ウエイト、２４  長孔、２５  ピン、３０  駆動装置、３１  支持部材、３１ａ  支持部材、３２  レール、３３  摺動部、４０  焼却灰貯蔵容器、４１  軸シール部
【図１】
0004738107.tif 000002
【図２】
0004738107.tif 000003
【図３】
0004738107.tif 000004
【図４】
0004738107.tif 000005
【図５】
0004738107.tif 000006
【図６】
0004738107.tif 000007